(57)【特許請求の範囲】
【請求項１】
周波数混合回路、局部発信回路、位相同期回路、中間周波増幅回路を内蔵した集合型集積回路と、前記集合型集積回路の中間周波信号出力端とチューナ出力端子との間に接続されるローパス型フィルタ回路とを備えたテレビジョンチューナ出力回路であって、前記ローパス型フィルタ回路は、前記中間周波信号出力端と前記チューナ出力端子との間に直列接続されたインダクタ、第２コンデンサ、抵抗と、前記チューナ出力端子と接地点間に接続された第１コンデンサとからなり、前記第２コンデンサは５０乃至１００ｐＦの範囲内の容量値を有し、前記抵抗は１０乃至７５Ωの範囲内の抵抗値を有するものを選び、中間周波信号に対して前記インダクタと前記第２コンデンサの直列回路のインピーダンスが誘導性を示すようにそのインダクタンス値及びその容量値を設定し、かつ、その誘導性インピーダンスと前記第１コンデンサの容量値とが中間周波信号で共振するように前記第１コンデンサの容量値を設定していることを特徴とするテレビジョンチューナ出力回路。
【請求項２】
前記インダクタと前記第２コンデンサの直列回路は、前記中間周波数よりもその帯域幅で１乃至２チャネル分低い周波数に直列共振するように、そのインダクタンス値及びその容量値を設定していることを特徴とする請求項１に記載のテレビジョンチューナ出力回路。
【発明の詳細な説明】
【０００１】
【発明の属する技術分野】
本発明は、テレビジョンチューナ出力回路に係わり、特に、集合型集積回路の中間周波信号出力端とチューナ出力端子との間に接続され、中間周波信号利得を低下させずに不要周波数信号成分を大幅に減衰させ、静電気の除去を可能にしたローパス型フィルタ回路からなるテレビジョンチューナ出力回路に関する。
【０００２】
【従来の技術】
従来、テレビジョンチューナにおいては、周波数混合回路（ＭＩＸ）、局部発振回路（ＬＯＳＣ）、位相同期回路（ＰＬＬ）、中間周波増幅回路（ＩＦ  ＡＭＰ）からなる回路部分を一体的に集積化した集合型集積回路（ＭＯＰ  ＩＣ）を用いたものが知られている。この集合型集積回路は、局部発振回路が局部発振信号を発生し、位相同期回路が局部発振回路の局部発振信号の周波数を安定化し、周波数混合回路が受信した無線周波（ＲＦ）信号と局部発振回路が出力した局部発振信号とを周波数混合し、それらの信号の差周波数からなる中間周波（ＩＦ）信号を発生し、中間周波増幅回路が周波数混合回路で発生した中間周波信号を増幅している。そして、中間周波信号は、中間周波増幅回路の出力側に設けた中間周波信号出力端から取り出され、中間周波信号よりも高い周波数の不要な信号成分を除去するローパス型フィルタ回路を通してチューナ出力端子に伝送され、チューナ出力端子に接続された表面弾性波フィルタ（ＳＡＷ  ＦＩＬ）等の外部回路に供給される。この場合、ローパス型フィルタ回路は、テレビジョンチューナ出力回路を構成している。
【０００３】
ここで、図２は、既知のテレビジョンチューナ出力回路の構成の一例を示す回路図であって、テレビジョンチューナ出力回路とともにその周辺回路を併せて表している。
【０００４】
図２に示されるように、テレビジョンチューナ２０は、集合型集積回路（ＭＯＰ  ＩＣ）２１と、テレビジョンチューナ出力回路であるローパス型フィルタ回路２２と、水晶発振器（ＸＴＡＬ）２３と、チューナ出力端子２４とを備えている。また、テレビジョンチューナ２０は、外部に、表面弾性波フィルタ（ＳＡＷＦＩＬ）２５やビデオ中間周波信号用集積回路（ＶＩＦ  ＩＣ）２６等が接続配置される。
【０００５】
そして、集合型集積回路２１は、周波数混合回路（ＭＩＸ）２１1 と、局部発振回路（ＬＯＳＣ）２１2 と、位相同期回路（ＰＬＬ）２１3 と、中間周波増幅回路（ＩＦ  ＡＭＰ）２１4 とを一体的に集積回路化したもので、中間周波増幅回路２１4 には中間周波信号出力端２１5 が設けられ、位相同期回路２１3 には基準信号入力端２１6 が設けられ、周波数混合回路２１1 には無線周波（ＲＦ）信号入力端２１7 が設けられている。中間周波信号出力端２１5 はローパス型フィルタ回路２２の入力端に接続され、基準信号入力端２１6 は水晶発振器２３の出力端に接続され、無線周波信号入力端２１7 は図示されていない無線周波信号増幅回路の出力端に接続される。また、ローパス型フィルタ回路２２は、入力端と出力端との間に直列接続されたインダクタ２２1 と、出力端と接地点との間に分路接続されたコンデンサ２２2 とからなっており、出力端がチューナ出力端子２４に接続される。さらに、テレビジョンチューナ２０の外部に配置される表面弾性波フィルタ２５は、入力端がチューナ出力端子２４に接続され、出力端がビデオ中間周波信号用集積回路２６の入力端に接続される。
【０００６】
この場合、ローパス型フィルタ回路２２は、中間周波増幅回路２１4 から出力された中間周波信号を伝送通過させるもので、インダクタ２２1 のインダクタンス値及びコンデンサ２２2 の容量値が中間周波信号よりも高い周波数の不要信号を減衰させるような定数にそれぞれ設定されている。
【０００７】
このような構成を具備するローパス型フィルタ回路２２（テレビジョンチューナ出力回路）を用いることにより、集合型集積回路２１の中間周波増幅回路２１4 から出力された中間周波信号は、ローパス型フィルタ回路２２で殆んど減衰されずにチューナ出力端子２４に供給され、チューナ出力端子２４に接続された表面弾性波フィルタ２５で不要な周波数信号成分がさらに除去された後、ビデオ中間周波信号用集積回路２６に供給される。一方、の中間周波増幅回路２１4 から出力された中間周波信号よりも高い周波数の不要な信号成分は、ローパス型フィルタ回路２２で減衰されてチューナ出力端子２４に殆んど供給されず、表面弾性波フィルタ２５にも殆んど供給されない。
【０００８】
【発明が解決しようとする課題】
前記既知のテレビジョンチューナ出力回路（ローパス型フィルタ回路２２）は、集合型集積回路２１の中間周波信号出力端２１5 から中間周波信号が出力された場合、中間周波信号がローパス型フィルタ回路２２を通してチューナ出力端子２４に伝送される。このとき、ローパス型フィルタ回路２２は、中間周波信号に重畳されている中間周波信号の周波数よりも高い周波数の不要な信号成分を除去する機能があるものの、集合型集積回路２１内でリークして中間周波信号に重畳出力される中間周波信号の周波数（例えば、５６．５ＭＨｚ）よりも低い不要な信号成分である水晶発振器２３の発振信号の周波数（例えば、４ＭＨｚ）を除去する機能がないので、中間周波信号に重畳されている水晶発振器２３の発振信号は、ローパス型フィルタ回路２２で除去されず、そのままテレビジョンチューナ２０のチューナ出力端子２４から出力されてしまう。
【０００９】
これとは別に、テレビジョンチューナ２０を製造している際またはテレビジョンチューナ２０をテレビジョンセット内に組み込んでいる際等においては、テレビジョンチューナ２０内に静電気による高電圧が発生し、この静電気による高電圧が集合型集積回路２１の中間周波信号出力端２１5 から出力され、ローパス型フィルタ回路２２に印加されることがある。
【００１０】
このとき、前記既知のテレビジョンチューナ出力回路（ローパス型フィルタ回路２２）は、何等かの原因によって発生した静電気による高電圧を殆んど減衰しない状態で通過させるもので、規格に定められている静電破壊耐性を満たしていないものである。すなわち、前記既知のテレビジョンチューナ出力回路（ローパス型フィルタ回路２２）を用いた場合、チューナ出力端子２４の近傍に発生した静電気による高電圧は、チューナ出力端子２４に表面弾性波フィルタ２５が接続されていると、表面弾性波フィルタ２５に印加されて表面弾性波フィルタ２５を静電破壊するだけでなく、テレビジョンチューナ出力回路（ローパス型フィルタ回路２２）を通して集合型集積回路２１に供給され、集合型集積回路２１を破壊することがある。
【００１１】
本発明は、このような技術的背景に鑑みてなされたもので、その目的は、中間周波信号を減衰することなく不要な周波数信号成分を大幅に減衰し、かつ、静電気による高電圧の伝送を阻止することを可能にしたテレビジョンチューナ出力回路を提供することにある。
【００１２】
【課題を解決するための手段】
前記目的を達成するために、本発明によるテレビジョンチューナ出力回路は、周波数混合回路、局部発信回路、位相同期回路、中間周波増幅回路を内蔵した集合型集積回路と、集合型集積回路の中間周波信号出力端とチューナ出力端子との間に接続されるローパス型フィルタ回路とを備えたテレビジョンチューナ出力回路であって、ローパス型フィルタ回路は、中間周波信号出力端とチューナ出力端子との間に直列接続されたインダクタ、第２コンデンサ、抵抗と、チューナ出力端子と接地点間に接続された第１コンデンサとからなり、第２コンデンサは５０乃至１００ｐＦの範囲内の容量値を有し、抵抗は１０乃至７５Ωの範囲内の抵抗値を有するものを選び、中間周波信号に対してインダクタと第２コンデンサの直列回路のインピーダンスが誘導性を示すようにそのインダクタンス値及びその容量値を設定し、かつ、その誘導性インピーダンスと第１コンデンサの容量値とが中間周波信号で共振するように第１コンデンサの容量値を設定している構成を具備する。
【００１３】
このような構成を採用すれば、インダクタと第２コンデンサとからなる直列回路を中間周波信号周波数よりも低い周波数に直列共振させ、その直列回路の誘導性インピーダンスと第１コンデンサの容量値とを中間周波信号で共振させることにより、中間周波信号に対するフィルタ利得を大きくし、かつ、中間周波信号に重畳される不要な低い周波数成分、例えば水晶発振器の発振信号周波数等を減衰させることができる。さらに、小抵抗値の抵抗を接続したことにより、中間周波信号のフィルタ利得を減衰させることなく、第２コンデンサの小容量値と相俟って印加される静電気による高電圧を大幅に減衰させ、高い静電破壊耐性を有するテレビジョンチューナ出力回路が得られる。
【００１４】
前記構成によるローパス型フィルタ回路において、インダクタと第２コンデンサの直列回路は、中間周波数よりもその帯域幅で１乃至２チャネル分低い周波数に直列共振するように、そのインダクタンス値及び容量値を選んでいる構成にすることが好ましい。
【００１５】
このような構成にすれば、中間周波信号に対するフィルタ利得を犠牲にすることなく、中間周波信号に重畳される不要な低い周波数成分、例えば水晶発振器の発振信号周波数等の減衰を大きくすることができる。
【００１８】
【発明の実施の形態】
以下、本発明の実施の形態を図面を参照して説明する。
【００１９】
図１は、本発明に係わるテレビジョンチューナ出力回路の一つの実施の形態を示す回路図であって、テレビジョンチューナ出力回路とともにその周辺回路を併せて表している。
【００２０】
図１に示されるように、テレビジョンチューナ７は、集合型集積回路（ＭＯＰＩＣ）１と、テレビジョンチューナ出力回路であるローパス型フィルタ回路２と、水晶発振器（ＸＴＡＬ）３と、チューナ出力端子４とを有している。また、テレビジョンチューナ７の外部には、表面弾性波フィルタ（ＳＡＷ  ＦＩＬ）５とビデオ中間周波信号用集積回路（ＶＩＦ  ＩＣ）６が接続配置されている。
【００２１】
そして、集合型集積回路１は、図２に図示された集合型集積回路２１と同じように、周波数混合回路（ＭＩＸ）１1 と、局部発振回路（ＬＯＳＣ）１2 と、位相同期回路（ＰＬＬ）１3 と、中間周波増幅回路（ＩＦ  ＡＭＰ）１4 とを一体的に集積回路化したもので、中間周波増幅回路１4 には中間周波信号出力端１5 が設けられ、位相同期回路１3 には基準信号入力端１6 が設けられ、周波数混合回路１1 には無線周波（ＲＦ）信号入力端１7 が設けられる。中間周波信号出力端１5 は、ローパス型フィルタ回路２の入力端に接続され、基準信号入力端１6 は、水晶発振器３の出力端に接続され、無線周波信号入力端１7 は、図示されていない無線周波信号増幅回路の出力端に接続されている。ローパス型フィルタ回路２は、入力端と出力端との間に直列接続されたインダクタ２1 、第２コンデンサ２3 、抵抗２4 と、出力端と接地点との間に分路接続された第１コンデンサ２2 とからなっており、出力端がチューナ出力端子４に接続される。さらに、表面弾性波フィルタ５は、図２に図示された表面弾性波フィルタ２５と同じように、入力端がチューナ出力端子４に接続され、出力端がビデオ中間周波信号用集積回路６の入力端に接続される。
【００２２】
この実施の形態によるローパス型フィルタ回路２は、インダクタ２1 のリアクタンス値と第２コンデンサ２3 の容量値を適宜選定して、インダクタ２1 と第２コンデンサ２3 の直列回路の直列共振周波数を中間周波数よりも１チャネル分の帯域幅だけ低い周波数になるように、例えば、中間周波数の帯域中心周波数が５６．５ＭＨｚで、中間周波数の帯域幅が６ＭＨｚであったとき、５６．５−６．０＝５０．５ＭＨｚになるように選び、また、第１コンデンサ２2 の容量値を適宜選定して、中間周波数、例えば５６．５ＭＨｚで、インダクタ２1 と第２コンデンサ２3 の直列回路の誘導性インピーダンスと第１コンデンサ２2 の容量値とが共振するようにする。さらに、抵抗２4 の抵抗値を小さい値に選び、中間周波数の信号成分が抵抗２4 によって殆んど減衰されず、しかも、抵抗２4 の抵抗値と第２コンデンサ２3 の小さい容量値によって静電気による高電圧を大きく減衰するようにしている。
【００２３】
このような構成にすれば、中間周波増幅回路１4 の中間周波信号出力端１5 から出力され、ローパス型フィルタ回路２の入力端に供給された中間周波信号成分は、殆んど減衰されないでローパス型フィルタ回路２の出力端からチューナ出力端子４に供給される。このとき、チューナ出力端子４に表われる終端インピーダンスが比較的高い値、例えば１ＫΩであるとき、ローパス型フィルタ回路２における中間周波信号のフィルタ利得は約４７ｄＢになり、高いフィルタ利得を得ることができる。一方、中間周波信号に重畳されている中間周波数よりも高い不要な周波数成分は、図２に図示の既知のローパス型フィルタ回路２０と同様に、ローパス型フィルタ回路２のローパス特性によって大きく減衰され、ローパス型フィルタ回路２の出力に表われることがなく、中間周波信号に重畳されている中間周波数よりも低い不要な周波数成分、例えば水晶発振器３の発振信号成分（周波数４ＭＨｚ）等は、インダクタ２1 と第２コンデンサ２3 の直列回路等によって大きく減衰される。これと同時に、中間周波増幅回路１4 の中間周波信号出力端１5 からローパス型フィルタ回路２の入力端に静電気による高電圧が印加しても、その静電気による高電圧は、抵抗２4 の抵抗値と第２コンデンサ２3 の小さい容量値の相乗作用によって大きく減衰され、ローパス型フィルタ回路２の出力端から出力されず、静電破壊耐圧の高いローパス型フィルタ回路２にすることができる。
【００２４】
この実施の形態によるローパス型フィルタ回路２において、各構成要素の具体的なパラメータ値の一例を挙げれば、インダクタ２1 のリアクタンス値が２５０ｎＨ、第１コンデ2 の容量値が２０ｐＦ、第２コンデンサ２3 の容量値が７５ｐＦ、抵抗２4 の抵抗値が４０Ωである。
【００２５】
前記実施の形態によるローパス型フィルタ回路２においては、インダクタ２1 と第２コンデンサ２3 の直列回路の直列共振周波数を中間周波数よりも１チャネル分の帯域幅だけ低い周波数になるように、例えば、中間周波数の帯域中心周波数が５６．５ＭＨｚで、中間周波数の帯域幅が６ＭＨｚであったとき、５６．５−６．０＝５０．５ＭＨｚになるように選んでいるが、本発明におけるインダクタ２1 と第２コンデンサ２3 の直列回路の直列共振周波数は、前述のような周波数に限られるものではなく、中間周波数よりも２チャネル分の帯域幅だけ低い周波数になるように、例えば、中間周波数の帯域中心周波数が５６．５ＭＨｚで、中間周波数の帯域幅が６ＭＨｚであったとき、５６．５−（２×６．０）＝４４．５ＭＨｚになるように選んでもよく、それらの間の周波数、例えば５０．５ＭＨｚと４４．５ＭＨｚの中間の周波数になるように選んでもよい。
【００２６】
そして、インダクタ２1 と第２コンデンサ２3 の直列回路の直列共振周波数を、中間周波数よりも２チャネル分の帯域幅だけ低い周波数になるように、例えば４４．５ＭＨｚになるように選んだときは、インダクタ２1 のリアクタンス値を４２０ｎＨにすればよく、このときのローパス型フィルタ回路２における中間周波信号のフィルタ利得は約５０ｄＢになり、同様に、高いフィルタ利得を得ることができる。
【００２７】
また、前記実施の形態によるローパス型フィルタ回路２においては、第２コンデンサ２3 の容量値が７５ｐＦで、抵抗２4 の抵抗値が４０Ωである例を挙げているが、本発明における第２コンデンサ２3 の容量値及び抵抗２4 の抵抗値は、これらの値のものに限られるものではなく、その近傍の値、第２コンデンサ２3 の容量値については５０乃至１００ｐＦの範囲内、抵抗２4 の抵抗値については１０乃至７５Ωの範囲内であれば、前記実施の形態によって得られる作用効果とほぼ同等の作用効果を得ることができる。
【００２８】
【発明の効果】
以上のように、本発明によれば、インダクタと第２コンデンサとからなる直列回路を中間周波信号周波数よりも低い周波数に直列共振させ、その直列回路の誘導性インピーダンスと第１コンデンサの容量値とを中間周波信号で共振させることにより、中間周波信号に対するフィルタ利得を大きくし、かつ、中間周波信号に重畳される不要な低い周波数成分、例えば水晶発振器の発振信号周波数等を減衰させることができるという効果がある。
【００２９】
また、本発明によれば、小抵抗値の抵抗を接続したことにより、中間周波信号のフィルタ利得を減衰させることなく、第２コンデンサの小容量値と相俟って印加される静電気による高電圧を大幅に減衰させ、高い静電破壊耐性を有するテレビジョンチューナ出力回路が得られるという効果がある。
【図面の簡単な説明】
【図１】本発明に係わるテレビジョンチューナ出力回路の一つの実施の形態を示す回路図である。
【図２】既知のテレビジョンチューナ出力回路の構成の一例を示す回路図である。
【符号の説明】
１  集合型集積回路（ＭＯＰ  ＩＣ）
１1   周波数混合回路（ＭＩＸ）
１2   局部発振回路（ＬＯＳＣ）
１3   位相同期回路（ＰＬＬ）
１4   中間周波増幅回路（ＩＦ  ＡＭＰ）
１5   中間周波信号出力端
１6   基準信号入力端
１7   無線周波（ＲＦ）信号入力端
２  ローパス型フィルタ回路
２1   インダクタ
２2   第１コンデンサ
２3   第２コンデンサ
２4   抵抗
３  水晶発振器（ＸＴＡＬ）
４  チューナ出力端子
５  表面弾性波フィルタ（ＳＡＷ  ＦＩＬ）
６  ビデオ中間周波用集積回路（ＶＩＦ  ＩＣ）
７  テレビジョンチューナ
【図１】
0004027005.tif 000002
【図２】
0004027005.tif 000003